(57)【要約】      （修正有）【課題】精算機を置かない小規模駐車場の駐車情報および機器制御を、別の駐車場の精算機との間で無線通信により送受信する回路構成を有する駐車場システムを提供する。【解決手段】複数の車室、車室への駐車検出装置、不正退出防止用のロック装置５２ａあるいは不正駐車車両を記録する画像撮影装置、満空表示装置５６ａ、駐車場管理会社のサーバーとデータおよびロック装置の制御信号をやり取りする無線通信装置５９ａ、近隣の子駐車場との間で駐車検出信号、満空表示データ及びロック装置の制御信号を送受信できる無線通信装置５９ａ、および駐車料金の精算とロック装置の動作を制御する精算機５１を備える親駐車場と、複数の車室、車室への駐車検出装置、および不正退出防止用のロック装置５２ｂあるいは不正退出車両を記録する画像撮影装置、満空表示装置５６ｂを備え、親駐車場との間で駐車検出信号、および満空表示データ、及びロック装置の制御信号を送受信できる無線通信装置５９ｂを備える子駐車場より構成される。【選択図】図４
0003218853.tif 000002
【実用新案登録請求の範囲】
【請求項１】
複数の車室、車室への駐車検出装置、不正退出防止用のロック装置あるいは不正駐車車両を記録する画像撮影装置、満空表示装置、駐車場管理会社のサーバーとデータおよびロック装置の制御信号をやり取りする通信装置、近隣の駐車場（子駐車場）との間で駐車検出信号、および望ましくは満空表示データ及びロック装置の制御信号を送受信できる無線装置、および駐車料金の精算とロック装置の動作を制御する精算機を備える駐車場（親駐車場）と、複数の車室、車室への駐車検出装置、および望ましくは不正退出防止用のロック装置あるいは不正退出車両を記録する画像撮影装置、満空表示装置を備え、親駐車場との間で駐車検出信号、および望ましくは満空表示データ、及びロック装置の制御信号を送受信できる無線通信装置を備える駐車場（子駐車場）より構成される駐車場システム
【請求項２】
請求項１の駐車場システムにおいて、親子駐車場間で送受信する駐車検出信号、ロック装置の制御信号、満空表示信号は、S485による通信データとして、親及び子駐車場の無線通信装置間で送受信されることを特長とする駐車場システム
【請求項３】
請求項１及び２の駐車場システムにおいて、親駐車場の精算機には、親駐車場自身の駐車管理領域と親駐車場に駐車した車両の駐車料金を算出するプログラムおよびその駐車料金体系に関するデータと、子駐車場の駐車管理領域と子駐車場に駐車した車両の駐車料金を算出するプログラム及びその駐車料金体系に関するデータを、それぞれ装備したことを特長とする駐車場システム
【考案の詳細な説明】
【技術分野】
【０００１】
本発明は、近隣の駐車場の精算機に、精算機を持たない小規模の駐車場の駐車情報を送受信する仕組みに関する。
【背景技術】
【０００２】
都会では、遊休地を駐車場として活用することで、地主には現金収入があり、駐車場の利用者にも喜ばれるといった効果があり、多くの駐車場が設置されている。しかし、遊休地が数台の車の駐車しかできないような狭い土地の場合は、精算機の設置を必要とする従来の駐車場の開設は、車室幅が狭くなったり設置費用の回収に長期間がかかったりするので、経営的に成り立たないとされてきた。
【０００３】
しかし、小規模の駐車場に精算機を置かなくても、無線通信が可能な範囲にある駐車場の精算機を活用することで、駐車料金の精算ができるシステムができると考えられる。
【０００４】
また、精算機がネットを通じて駐車料金の電子決済ができるような機能を持っている場合は、精算機がない駐車場から、電子的な駐車料金の精算が可能になると考えられる。
【先行技術文献】
【特許文献】
【０００５】
【特許文献１】特開2001-175900
【０００６】
ネットを通じて駐車料金の電子決済ができるシステム（以後、電子決済精算システムと略す）は、特許文献１に開示されている。このシステムでは、駐車場の利用者が、スマホの専用アプリを使って駐車した駐車場名と車室番号を電子決済精算システムの運営会社のサーバーに送信すると、該運営会社は利用している駐車場の精算機と通信して駐車料金の計算結果を受信し、それを駐車場の利用者のスマホに表示し、クレジットカード等による電子決済を促す。そして利用者が電子決済を了承すれば、電子決済精算システムの運営会社から当該駐車場の精算機に支払い完了を通知することにより、当該車室の退場阻止装置であるフラップ装置のロックを解除し、利用者は駐車場から退場できるようになっている。
【０００７】
このような電子決済精算システムが可能な駐車場では、利用者は精算機から離れた場所でも、駐車料金の支払いができる特徴がある。
【考案の概要】
【考案が解決しようとする課題】
【０００８】
本考案は、精算機がない駐車場でも、駐車場料金の精算ができるような便利な駐車場を提供しようとするものである。
【課題を解決するための手段】
【０００９】
精算機がない駐車場（以下、子駐車場と略す）に駐車した場合でも駐車料金の支払いができるようにするために、本考案では、無線通信が可能な位置にある通常の駐車場（以後親駐車場と略す）の精算機を利用する。
【００１０】
具体的には、子駐車場には各車室に車両検知センサーと無断退出防止用のロック装置（以下ロック装置と略す）を設置し、車両検知センサーの出力とロック装置の作動制御信号を、RS 485 通信プロトコルを用いて、近隣の駐車場の精算機に無線で送信あるいは受信するようにした。
【００１１】
また、親駐車場の精算機には子駐車場の車室管理部分を設け、子駐車場の車室に車両が駐車した場合に生成する車両検出センサーの出力を、子駐車場に設けた無線通信端末から、RS485通信により親駐車場の精算機に設けた無線通信端末が受信した場合に、子駐車場の車室管理部分にその駐車情報を記憶する。そして、親駐車場の精算機からは、子駐車場の該当車室のロック装置にロック開始の指令をRS485通信により無線端末に送信する。これによって子駐車場の該当する車室のロック装置が作動する。  
【００１２】
子駐車場に駐車した利用者が退場するときには、まず親駐車場に行ってそこの精算機を使って駐車料金の精算をする。親駐車場の精算機は、支払いを確認するとその無線端末から子駐車場の無線端末にRS485通信により該当車室のロック装置を開放するような制御信号を送信する。同信号を受信した子駐車場は、該当する車室のロック装置に開放し、利用者は子駐車場の車室から退場できることになる。
【００１３】
本考案は、以上のような子駐車場の駐車情報と、ロック装置の作動制御信号を、親駐車場の精算機との間でRS485通信により送受信する具体的な回路を提案するものである。
【考案の効果】
【００１４】
本考案によれば、精算機を置く通常の駐車場としては、車室幅が狭くなったり駐車場経営が成り立たなくなったりするような小さな空き地にでも、少なくとも車両検知センサーと無線通信装置を設置し、RS 485通信による無線通信によって車室に駐車したことを親駐車場の精算機に送受信できるので、精算機を置かない小規模の駐車場を開設でき、地主にとっては遊休土地の活用に、駐車場の利用者にとっては駐車場の利用の利便性が高まるといった効果がある。
【図面の簡単な説明】
【００１５】
【図１】は、本考案の精算機を置かない子駐車場と、子駐車場の駐車料金精算もできる精算機を設置した親駐車場の街中における配置の例を示した図である。
【図２】は、本考案の親駐車場および子駐車場に設置する主要設備を示した図である。
【図３】は、本考案の親駐車場の車室管理データ領域と、精算機の主要プログラムとして親子間のデータ通信制御プログラムを示した図である。
【図４】は、本考案の子駐車場での車両検出センサーの出力とロック装置作動の制御信号を子駐車場に設けた無線通信端末と親駐車場に設けた無線端末の間でRS485通信により送受信する具体的な回路図である。
【考案を実施するための形態】
【実施例１】
【００１６】
図１は、本発明が対象とする精算機を置かない子駐車場と、子駐車場の車室管理や駐車料金計算ができる精算機を有する親駐車場の配置の例を示す図である。１は市中の道路で、子駐車場２，３は、親駐車場４と離れているが、５で示すように無線通信が可能な場所に設けている。
【００１７】
子駐車場２，３は、親駐車場４に比べて小さな駐車場で精算機を置かないが、図２に示すように、車室、駐車を検出するセンサー（以下車両検知センサー）、無線通信装置のほか、必要に応じて車両の無断退出を防止するロック装置、満空表示装置、駐車場看板、駐車場内の監視カメラ、受電盤を設置する。
【００１８】
無線通信装置は、親及び子駐車場の間で、RS485通信プロトコルにより、前記車両検出センサーの出力、ロック装置の作動及び開放制御信号、および必要に応じえ満空情報を相互通信する。
【００１９】
親駐車場には、図２に示すように、通常の駐車場に設置する設備として、精算機、車室、車両検知センサー、ロック装置、満空表示装置、コールセンターとの通信装置、駐車場看板、受電盤を置く。本考案では新たに子駐車場とデータの交信ができる無線通信装置や必要に応じて子駐車場の車室監視カメラの映像表示装置を設けている。
【００２０】
また、本考案の必須事項ではないが、親駐車場の精算機が駐車料金のネットを使った電子決済が可能な場合は、駐車場管理会社および電子決済の運営会社と通信するための通信端末を設置している。
【００２１】
一般に駐車場の精算機には、場内の全車室について車室番号を割り当て、車室ごとに車両検知センサーにより、駐車の有無と入庫日時（入庫年月日と時刻）を記憶管理するデータファイルが用意されている。これにより、利用者がこの駐車場から退出する際に、精算機で駐車した車室番号と料金精算ボタンを押すと、同精算機は前記データファイルから入庫日時を入手し精算ボタンを押した時刻をもとに駐車時間を計算する。そして、当該駐車場の料金体系をもとに計算した駐車料金を精算機の表示画面に表示する。請求される駐車料金をお札または硬貨などで支払うと、ロック装置が解除され、駐車場から退場することができる仕組みになっている。
【００２２】
本考案では、図3に示すように、このような親駐車場の精算機に、子駐車場（子駐車場2、3のように複数あってもよい）の車室の駐車を管理するデータ領域を割り当てる。子駐車場の車室への駐車を車室に設置した車両検知センサーが検知すると、駐車場名、車室番号および車両検知日時が、RS485プロトコルによる通信データに変換されて無線通信で親駐車場の精算機に送信される。親駐車場がそのデータを受信すると、管理している子駐車場の該当車室に車両が入庫したことを記憶する。こうすることによって、子駐車場用に割り当てられたデータ領域は、あたかも子駐車場に精算機があるように機能する。
【００２３】
さて、子駐車場に駐車した利用者が駐車場から出庫する場合には、親駐車場の精算機を使って子駐車場で駐車した車室番号を指定し、駐車料金の現金精算（あるいはカードでの支払い）を行う。この際、指定された駐車場の車室番号が子駐車場のものであれば、親駐車場の精算機は、子駐車場の料金体系を使って駐車料金を計算する。駐車料金の支払いが終わると、親駐車場の精算機は、無線端末から子駐車場の無線端末に該当車室のロック装置開放の指令を、RS485 プロトコルによる通信データに変換しての無線で送信する。これを受信した子駐車場のロック装置の制御装置がロック装置を開放させるので、車室から出庫できる。
【００２４】
図４は、本考案の親と子駐車場におけるロック装置および満空表示盤の作動や表示を制御する回路を示したものである。まず親駐車場においては、５０aは親駐車場の電源盤、５１は精算機、５２aは車室に設置したロック装置、５３aは車両検知用ループコイル（以下ループコイルと略す）、５４aはロック装置の制御回路とループコイルに接続した車両検知センサー及びロック装置の駆動用モータを内蔵したコントロールボックス、５５aは車両検知センサーの出力およびロック装置の制御信号をRS485通信方式で伝送する通信線、５６aは満空表示板、５７aは前記コントロールボックスと満空表示板に電力を供給する電源線、５８aは満空表示盤の表示を満または空に切り替える信号の通信線、５９aは無線通信機器（たとえば  Trusted wireless）である。
【００２５】
次に図４の子駐車場においては、親駐車場の装置類とほぼ同じ構成となっており、５０bは子駐車場の電源盤、５２bは車室に設置したロック装置、５３bは車両検知用ループコイル（以下ループコイルと略す）、５４bはロック装置の制御回路とループコイルに接続した車両検知センサー及びロック装置の駆動用モータを内蔵したコントロールボックス、５５bは車両検知センサーの出力およびロック装置の制御信号をRS485通信方式で伝送する通信線、５６bは満空表示板、５７bは前記コントロールボックスと満空表示板に電力を供給する電源線、５８bは満空表示盤の表示を満または空に切り替える信号の通信線、５９bは無線通信機器である。
【００２６】
今、子駐車場の車室に車両が駐車すると、ループコイルのインダクタンスが変化し、コントロールボックス５４bの中にある車両検知センサーが車両を検知する。検知信号はR
S485の通信用信号に変換され、通信線５５bを経由して無線通信機器５９bより、親駐車場の無線通信機５９aに伝送される。この情報は、さらに通信線５５aによって親駐車場の精算機５１に送られる。
【００２７】
親駐車場の精算機の中では、子駐車場用に割り当てられた車室管理データ領域に、子駐車場の車室番号と、受信した日時が記録される。そして、精算機５１からは、子駐車場の該当車室のロック装置を作動させる制御信号を、通信線５５aにより、無線機５９aに送り、無線で子駐車場の無線通信機５９bに伝送される。そのあと該制御信号は、通信線５５bによりコントロールボックス５４bに送られ、ロック装置の駆動装置を一定時間後に作動させる。
【００２８】
子駐車場に駐車した利用者が、子駐車場から退場する場合は、親駐車場の精算機５１を利用する。精算方法は親駐車場に駐車した場合と同じで、精算機前面にある精算ボタンを押して駐車した子駐車場の車室番号を入力すると、精算機は管理している子駐車場の車室の入庫時刻を読み出し、精算ボタンが押された時刻との時間差から駐車時間を算出する。そして子駐車場の駐車料金体系をもとに駐車料金を算出し、駐車料金を表示盤に表示する。料金が支払われると、精算機５１から通信線５５aにより子駐車場のロック装置開放の制御信号が無線通信機５９aに伝えられ、無線により子駐車場の無線通信機５９bに伝送される。子駐車場の利用者はこのようにして駐車場を退場できる。
【００２９】
子駐車場の規模が比較的大きい場合には、子駐車場でも満空の表示が必要であろう。これも親駐車場の精算機が子駐車場管理部分のデータから満車あるいは空室を判別し、その結果を無線機５９aから子駐車場の無線機５９bに伝送し、５５bで示すI/Oデータ線を通して、満空表示装置５６bの満空表示を行わせることができる。
【実施例２】
【００３０】
実施例１では、子駐車場の利用者は、退場時に親駐車場の精算機で駐車料金の精算を行うようにしたが、親駐車場の精算機が、スマホなどの通信端末を使って駐車料金の精算が可能な精算機である場合には、子駐車場の利用者は、スマホなどの通信端末で親駐車場の精算機で駐車料金の精算を行うことができる。
【産業上の利用可能性】
【００３１】
以上で説明したように、本考案は精算機を置かない駐車場で精算機のある親駐車場の精算機を利用して駐車料金の精算が可能な駐車場システムを提供するものであり、精算機を置くと経営が難しいような小規模の駐車場の開設を可能にする特長があり、産業上の利用可能性は十分である。
【符号の説明】
【００３２】
１  道路    ２、３  子駐車場      ４  親駐車場    ５  無線通信
５１a、 ５１b  親駐車場の精算機      ５２a、５２b  ロック装置    
５３a、５３b  ループコイル
５４a、５４b  コントロールボックス    ５５a、５５b  RS485 通信線
５６a、５６b  満空表示板              ５７a、５７b  電力線    
５８a、５８b  I/Oデータ信号線        ５９a、５９b  無線通信機    
【図１】
0003218853.tif 000003
【図２】
0003218853.tif 000004
【図３】
0003218853.tif 000005
【図４】
0003218853.tif 000006
【手続補正書】
【提出日】平成30年9月6日(2018.9.6)
【手続補正１】
【補正対象書類名】実用新案登録請求の範囲
【補正対象項目名】全文
【補正方法】変更
【補正の内容】
【実用新案登録請求の範囲】
【請求項１】
複数の車室、車室への駐車検出装置、不正退出防止用のロック装置あるいは不正駐車車両を記録する画像撮影装置、満空表示装置、駐車場管理会社のサーバーとデータおよびロック装置の制御信号をやり取りする通信装置、近隣の子駐車場との間で駐車検出信号、満空表示データ及びロック装置の制御信号を送受信できる無線装置、および駐車料金の精算とロック装置の動作を制御する精算機を備える親駐車場と、複数の車室、車室への駐車検出装置、および不正退出防止用のロック装置あるいは不正退出車両を記録する画像撮影装置、満空表示装置を備え、親駐車場との間で駐車検出信号、および満空表示データ、及びロック装置の制御信号を送受信できる無線通信装置を備える子駐車場より構成される駐車場システム
【請求項２】
請求項１の駐車場システムにおいて、親子駐車場間で送受信する駐車検出信号、ロック装置の制御信号、満空表示信号は、ＲＳ４８５プロトコルによる通信データとして、親駐車場及び子駐車場の無線通信装置間で送受信されることを特長とする駐車場システム
【請求項３】
請求項１及び２の駐車場システムにおいて、親駐車場の精算機には、親駐車場自身の駐車管理領域と親駐車場に駐車した車両の駐車料金を算出するプログラムおよびその駐車料金体系に関するデータと、子駐車場の駐車管理領域と子駐車場に駐車した車両の駐車料金を算出するプログラム及びその駐車料金体系に関するデータを、それぞれ装備したことを特長とする駐車場システム